(57)【特許請求の範囲】
【請求項１】
絶縁性の樹脂からなる碍子本体と、前記碍子本体の両端に固定されている端末金具部とを有するポリマー碍子に取り付けられるポリマー碍子用鳥害防止具であって、
前記ポリマー碍子の表面に装着される装着部と、
前記装着部に固定され、その装着部が前記ポリマー碍子に装着された状態でポリマー碍子から離間する方向に延在する複数の突起部と、
を備えており、
当該ポリマー碍子用鳥害防止具は、少なくとも一方の前記端末金具部に取り付けられることを特徴とするポリマー碍子用鳥害防止具。
【請求項２】
前記突起部と交差する方向に延在し、隣接する突起部を連結する複数の連結部を備えたことを特徴とする請求項１に記載のポリマー碍子用鳥害防止具。
【請求項３】
絶縁性の樹脂からなる碍子本体と、前記碍子本体の両端に固定されている端末金具部とを有するポリマー碍子に取り付けられるポリマー碍子用鳥害防止具であって、
前記ポリマー碍子の表面に装着される装着部と、
前記装着部に固定され、その装着部が前記ポリマー碍子に装着された状態でポリマー碍子から離間する方向に延在する突起部と、
前記突起部と交差する方向に延在する複数の棒状体と、
を備えており、
当該ポリマー碍子用鳥害防止具は、少なくとも一方の前記端末金具部に取り付けられることを特徴とするポリマー碍子用鳥害防止具。
【請求項４】
前記碍子本体には、当該碍子本体の軸方向に所定間隔をあけて形成された円盤状の複数の笠部が設けられており、
前記突起部の先端部は、前記笠部の外周端よりも外側に位置していることを特徴とする請求項１〜３の何れか一項に記載のポリマー碍子用鳥害防止具。
【請求項５】
前記ポリマー碍子は、略水平方向に延在する向きに配設されていることを特徴とする請求項１〜４の何れか一項に記載のポリマー碍子用鳥害防止具。
【発明の詳細な説明】
【技術分野】
【０００１】
本発明は、ポリマー碍子用鳥害防止具に関する。
【背景技術】
【０００２】
従来、碍子の一形態として、強化プラスチック製の芯体の外周をゴム製の被覆体にて被覆してなる碍子本体と、その碍子本体の両端部に嵌合固定した一対の把持金具とからなるポリマー碍子が知られている。ポリマー碍子は軽量でありながら機械的強度および耐候性に優れ、かつ、高絶縁性であることから、屋外設置用の碍子として普及している。
このように優れたポリマー碍子ではあるが、ポリマー碍子の表面にはゴム製の被覆体に形成された複数の笠部が設けられており、その柔軟性に富んだ笠部は、好奇心の強い鳥類の格好の興味の対象になり野鳥等に啄ばまれることがある。そして、ポリマー碍子には、被覆体の笠部が野鳥等に啄ばまれて破損してしまうという、磁器碍子には存在しない新たな問題が発生している。
そこで、ポリマー碍子が鳥類に啄ばまれないように、被覆体に鳥類忌避剤を坦持させるという技術が知られている（例えば、特許文献１参照。）。
【先行技術文献】
【特許文献】
【０００３】
【特許文献１】特開２００５−１４２１０６号公報
【発明の概要】
【発明が解決しようとする課題】
【０００４】
しかしながら、上記特許文献１の場合、ポリマー碍子の被覆体にカプサイシン等の鳥類忌避剤を坦持させても、忌避剤の効果が持続する期間には限界があるため、長期間経過した後には鳥類に啄ばまれてしまうことがあるという問題があった。
【０００５】
本発明の目的は、鳥類の啄ばみによるポリマー碍子の破損を低減することができるポリマー碍子用鳥害防止具を提供することである。
【課題を解決するための手段】
【０００６】
以上の課題を解決するため、本発明の第１の態様は、
絶縁性の樹脂からなる碍子本体と、前記碍子本体の両端に固定されている端末金具部とを有するポリマー碍子に取り付けられるポリマー碍子用鳥害防止具であって、
前記ポリマー碍子の表面に装着される装着部と、
前記装着部に固定され、その装着部が前記ポリマー碍子に装着された状態でポリマー碍子から離間する方向に延在する複数の突起部と、
を備えており、
当該ポリマー碍子用鳥害防止具は、少なくとも一方の前記端末金具部に取り付けられることを特徴とする。
【０００７】
なお、ここで、ポリマー碍子とは、懸垂碍子（吊りがいし）、耐張碍子、アキンボ碍子、アレスタ、がい管などの有機絶縁材を外被に用いた碍子類も含む。
【０００８】
このポリマー碍子用鳥害防止具を、例えば、ポリマー碍子の端末金具部に取り付ければ、ポリマー碍子の端末金具部側に止まった鳥類が突起部を乗り越えるように碍子本体側に移動することが困難になるとともに、端末金具部側から碍子本体を啄ばむことができなくなる。
このようにポリマー碍子用鳥害防止具は、鳥類の啄ばみによるポリマー碍子の破損を低減することができる。
【０００９】
また、前記突起部と交差する方向に延在し、隣接する突起部を連結する複数の連結部を備えることが好ましい。
【００１０】
複数の連結部を複数の突起部に連結させて、例えば、格子状の柵部材を形成することによれば、鳥類が突起部の間に首を突っ込みにくくすることができ、野鳥が突起部の間から首をのばして碍子本体を啄ばむことを一層困難にすることができる。
【００１１】
また、本発明の第２の態様は、
絶縁性の樹脂からなる碍子本体と、前記碍子本体の両端に固定されている端末金具部とを有するポリマー碍子に取り付けられるポリマー碍子用鳥害防止具であって、
前記ポリマー碍子の表面に装着される装着部と、
前記装着部に固定され、その装着部が前記ポリマー碍子に装着された状態でポリマー碍子から離間する方向に延在する突起部と、
前記突起部と交差する方向に延在する複数の棒状体と、
を備えており、
当該ポリマー碍子用鳥害防止具は、少なくとも一方の前記端末金具部に取り付けられることを特徴とする。
【００１２】
このポリマー碍子用鳥害防止具も、例えば、ポリマー碍子の端末金具部に取り付ければ、ポリマー碍子の端末金具部側に止まった鳥類が突起部を乗り越えるように碍子本体側に移動することが困難になるとともに、端末金具部側から碍子本体を啄ばむことができなくなる。
このようにポリマー碍子用鳥害防止具は、鳥類の啄ばみによるポリマー碍子の破損を低減することができる。
【００１３】
また、前記碍子本体には、当該碍子本体の軸方向に所定間隔をあけて形成された円盤状の複数の笠部が設けられており、
前記突起部の先端部は、前記笠部の外周端よりも外側に位置していることが好ましい。  
【００１４】
ポリマー碍子用鳥害防止具の突起部の先端部が、碍子本体の笠部の外周端と同じ高さ以上であれば、端末金具部側に止まった鳥類が突起部を乗り越えるように碍子本体側に移動することが困難になるとともに、端末金具部側から碍子本体の笠部を啄ばむことができなくなる。
【００１５】
また、当該ポリマー碍子用鳥害防止具は、少なくともアース側（鉄塔側）の前記端末金具部に取り付けられることが好ましい。また、前記アース側（鉄塔側）の端末金具部に取り付けるポリマー碍子用鳥害防止具のアース側（鉄塔側）の面には、凸部を設けることがより好ましい。
【００１６】
ポリマー碍子用鳥害防止具を、ポリマー碍子の少なくともアース側（鉄塔側）の端末金具部、好ましくは両端の端末金具部に取り付ければ、ポリマー碍子の端末金具部側に止まった鳥類が突起部を乗り越えるように碍子本体側に移動することが困難になるとともに、端末金具部側から碍子本体を啄ばむことができなくなり、鳥類の啄ばみによるポリマー碍子の破損を低減することができる。また、アース側（鉄塔側）の端末金具部に取り付けるポリマー碍子用鳥害防止具のアース側（鉄塔側）の面に、凸部を設けると、鳥類をより近づきにくくすることができる。
【発明の効果】
【００１７】
本発明によれば、ポリマー碍子用鳥害防止具は、ポリマー碍子の端末金具部側に止まった鳥類が突起部を乗り越えるように碍子本体側に移動することを妨げることができ、また鳥類が端末金具部側から碍子本体を啄ばむことを妨げることができるので、鳥類の啄ばみによるポリマー碍子の破損を低減することができる。
【図面の簡単な説明】
【００１８】
【図１】ポリマー碍子に取り付けられたポリマー碍子用鳥害防止具を示す側面図である。
【図２】ポリマー碍子用鳥害防止具を示す正面図であり、装着部が閉じた状態（ａ）と、装着部が開いた状態（ｂ）を示している。
【図３】ポリマー碍子を断面視して示す説明図である。
【図４】ポリマー碍子用鳥害防止具の変形例を示す正面図である。
【図５】ポリマー碍子用鳥害防止具の取り付け例を示す説明図である。
【図６】ポリマー碍子用鳥害防止具の変形例を示す正面図である。
【図７】ポリマー碍子用鳥害防止具の変形例を示す正面図である。
【発明を実施するための形態】
【００１９】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００２０】
図１はポリマー碍子に取り付けられたポリマー碍子用鳥害防止具を示す側面図であり、図２はポリマー碍子用鳥害防止具を示す正面図である。図３はポリマー碍子を断面視して示す説明図である。
【００２１】
まず、ポリマー碍子用鳥害防止具１０を取り付けるポリマー碍子１００について説明する。
ポリマー碍子１００は、図１、図３に示すように、絶縁性の樹脂からなる碍子本体２０と、碍子本体２０の両端に固定されている金属製の端末金具部３０とを有している。
【００２２】
碍子本体２０は、図３に示すように、所定長さを有する棒状の芯体２０ａと、芯体２０ａの外周のほとんど全てを被覆する被覆体２０ｂとからなる。
芯体２０ａは、例えば、ガラス繊維を強化材として含有するエポキシ樹脂などの強化プラスチック材料によって形成されている。
被覆体２０ｂは、例えば、シリコーンゴムなどの樹脂材料によって形成されており、被覆体２０ｂには、碍子本体２０（芯体２０ａ）の軸方向に沿い所定間隔をあけて形成された円盤状の複数の笠部２１が設けられている。つまり、笠部２１は、被覆体２０ｂの一部を成し、シリコーンゴムなどからなるため柔軟性に富んでいる。
【００２３】
端末金具部３０は、碍子本体２０を構成する芯体２０ａの端部と、芯体２０ａを被覆する被覆体２０ｂの端部とを覆うように固定されており、この端末金具部３０をかしめることで碍子本体２０に強固に固定されている。
【００２４】
次に、本発明に係るポリマー碍子用鳥害防止具１０について説明する。
ポリマー碍子用鳥害防止具１０は、図１〜図３に示すように、ポリマー碍子１００の表面に装着される装着部１１と、装着部１１がポリマー碍子１０に装着された状態でポリマー碍子１０から離間する方向に延在する複数の突起部１２と、突起部１２と交差する方向に延在し、隣接する突起部１２同士を連結する複数の連結部１３とを備えている。
【００２５】
ポリマー碍子用鳥害防止具１０の装着部１１、突起部１２、連結部１３は、絶縁性の樹脂材料からなることが好ましく、例えば、ＦＲＰ、エポキシ、塩化ビニル、ポリエチレン、ポリカーボネートなどからなる。
また、これら装着部１１、突起部１２、連結部１３の表面に、光（紫外線）を遮断する塗料などでコーティングを施すことが、耐候性や耐久性を向上させる観点から好ましい。
【００２６】
装着部１１は、図２（ａ）に示すように、略Ｃ字形状を呈する環状の部材であり、ポリマー碍子１００の太さに応じた内径を有している。
そして、ポリマー碍子用鳥害防止具１０をポリマー碍子１００に取り付ける際、図２（ｂ）に示すように、装着部１１を弾性変形させて開き、その装着部１１の内面側にポリマー碍子１００を嵌め合わせて装着部１１の形状を復元させる（図２（ａ）参照）ことで、ポリマー碍子１００の外周面に装着部１１を装着して、ポリマー碍子用鳥害防止具１０をポリマー碍子１００に取り付けることができる。
【００２７】
突起部１２は、図２に示すように、装着部１１の外面に固定されており、装着部１１の外面から放射方向（環状の装着部１１の径方向外側）に延在している棒状の部材である。
連結部１３は、図２に示すように、突起部１２と交差する方向に延在する円弧状の部材であり、隣接する突起部１２同士を連結している。
この突起部１２と連結部１３とが連結されることで、略扇形状を呈する格子状の柵部材が形成される。
【００２８】
なお、ポリマー碍子用鳥害防止具１０は、装着部１１、突起部１２、連結部１３が一体成形されたものであってもよく、また別体の各部を融着や接着にて一体に組み上げたものであってもよい。
【００２９】
次に、ポリマー碍子用鳥害防止具１０の使用方法等について説明する。
【００３０】
送電線などの架空線を敷設する際に、架空線と鉄塔とを繋ぐようにポリマー碍子１００を略水平方向に配設した場合、架空線やポリマー碍子１００の端末金具部３０に野鳥が止まることがある。
そこで、端末金具部３０側に止まった野鳥が碍子本体２０側に移動し侵入しないように、ポリマー碍子用鳥害防止具１０をポリマー碍子１００の端末金具部３０に取り付けて使用する。
【００３１】
このポリマー碍子用鳥害防止具１０を端末金具部３０に取り付ける位置は、端末金具部３０と碍子本体２０の境目から端末金具部３０側に１０ｃｍ以内の位置であることが好ましく、より好ましくは５ｃｍ以内の位置である。
端末金具部３０と碍子本体２０の境目から端末金具部３０側に１０ｃｍ以上離れた位置にポリマー碍子用鳥害防止具１０を取り付けた場合、その境目とポリマー碍子用鳥害防止具１０の間に野鳥が止まるスペースができてしまうので、ポリマー碍子用鳥害防止具１０が機能しないことになり好ましくない。
【００３２】
また、ポリマー碍子用鳥害防止具１０をポリマー碍子１００に取り付けた状態で、ポリマー碍子用鳥害防止具１０の突起部１２の先端部は、碍子本体２０の笠部２１の外周端と同じ高さ以上であり、その外周端よりも外側に位置していることが好ましい。
具体的には、ポリマー碍子用鳥害防止具１０の突起部１２の長さは３０ｃｍ以内で、その突起部１２の先端部が笠部２１の外周端と同じ高さ以上であることが好ましい。
ポリマー碍子用鳥害防止具１０の突起部１２の先端部が、碍子本体２０の笠部２１の外周端と同じ高さ以上であれば、端末金具部３０側に止まった野鳥が突起部１２を乗り越えるように碍子本体２０側に移動することが困難になるとともに、端末金具部３０側から碍子本体２０の笠部２１を啄ばむことができなくなる。
なお、突起部１２を３０ｃｍよりも長くし大型化すると、風の抵抗を受け易くなったり、着雪し易くなったりしてしまうので、突起部１２の長さは３０ｃｍ以内であることが好ましい。
【００３３】
また、本ポリマー碍子用鳥害防止具１０をアース側（鉄塔側）の端末金具部に取り付けるポリマー碍子用鳥害防止具のアース側（鉄塔側）の面に、凸部（図示しない）を設けると、鳥類をより近づきにくくすることができる。
【００３４】
特に、複数の連結部１３を複数の突起部１２に連結させて、略扇形状を呈する格子状の柵部材を形成しているので、野鳥が突起部１２の間に首を突っ込むことができず、野鳥が突起部１２の間から首をのばして笠部２１を啄ばむことを一層困難にしている。
なお、連結部１３や突起部１２の本数は任意であり、鳥害対象の鳥類のサイズ等に応じて適正な数を選択して設計すればよい。例えば、略扇形状の中心角を広げるように両端の突起部１２を水平に近付けるようにすれば、ポリマー碍子用鳥害防止具１０の横からの侵入や、笠部２１の啄ばみをより一層防ぐことが可能になる。
【００３５】
以上のように、本発明に係るポリマー碍子用鳥害防止具１０は、容易にポリマー碍子１００に取り付けることができるとともに、鳥類の啄ばみによるポリマー碍子１００の破損を低減することができる。
また、このポリマー碍子用鳥害防止具１０は樹脂製であり、有刺鉄線のような鋭い突起を有しておらず、鳥類に有害な薬品等を用いていないので、野鳥等を傷つけたりすることなく、ポリマー碍子１００の破損を低減することができる。
【００３６】
また、本発明は、図４に示すように、上記実施形態の連結部１３に代えて、突起部１２と交差する方向に延在する複数の棒状体１３ａ、１３ｂを備えたポリマー碍子用鳥害防止具４０を用いることもできる。複数の棒状体１３ａ、１３ｂのうち、少なくとも最上部に位置する棒状体１３ａには、ポリマー碍子１００から離間する方向に突出する凸部１３ｃを設けることが好ましい。
また、本ポリマー碍子用鳥害防止具４０をアース側（鉄塔側）の端末金具部に取り付けるポリマー碍子用鳥害防止具のアース側（鉄塔側）の面に、凸部（図示しない）を設けると、鳥類をより近づきにくくすることができる。
【００３７】
なお、本発明は上記実施形態に限られるものではない。
例えば、図５に示すように、ポリマー碍子用鳥害防止具１０をポリマー碍子１００の端末金具部３０に取り付けることに限らず、ポリマー碍子用鳥害防止具１０をポリマー碍子１００の碍子本体２０に取り付けるようにしてもよい。
こうすることで、飛来した野鳥が直接碍子本体２０に止まることを防ぐことが可能になる。
【００３８】
また、例えば、図６に示すように、装着部１１に複数の突起部１２を備えたポリマー碍子用鳥害防止具５０であってもよい。
このポリマー碍子用鳥害防止具５０の場合、突起部１２の数を増やしたり、隣接する突起部１２の間隔を狭くしたりするなど調整することで、野鳥が端末金具部３０側から碍子本体２０の笠部２１を啄ばむことを防ぐことができる。
【００３９】
また、図７に示すように、突起部１２が固定されている装着部本体１１ａと、装着部本体１１ａに固定ねじ１１ｃで固定される装着具１１ｂとを有する装着部を備えたポリマー碍子用鳥害防止具６０であってもよい。
このポリマー碍子用鳥害防止具６０の場合、ポリマー碍子１００の所定位置に装着部本体１１ａをあてがい、そのポリマー碍子１００を挟むように装着具１１ｂを装着部本体１１ａに位置合わせして固定ねじ１１ｃで固定することで、ポリマー碍子用鳥害防止具６０をポリマー碍子１００に取り付けることができる。
このようにねじ止めによってポリマー碍子１００に締結されるポリマー碍子用鳥害防止具６０であれば、より強固にポリマー碍子用鳥害防止具６０がポリマー碍子１００に固定されるので、強風や着雪の重みなどによって鳥害防止具がポリマー碍子１００から脱落してしまうことを防ぐことができる。
【００４０】
なお、本発明の適用は上述した実施形態に限定されることなく、本発明の趣旨を逸脱しない範囲で適宜変更可能である。
【符号の説明】
【００４１】
１０、４０、５０、６０  ポリマー碍子用鳥害防止具
１１    装着部
１１ａ  装着部本体（装着部）
１１ｂ  装着具（装着部）
１１ｃ  固定ねじ（装着部）
１２    突起部
１３    連結部
１３ａ、１３ｂ  棒状体
１３ｃ  凸部
２０    碍子本体
２０ａ  芯体
２０ｂ  被覆体
２１    笠部
３０    端末金具部
１００  ポリマー碍子
【図１】
0005660384.tif 000002
【図２】
0005660384.tif 000003
【図３】
0005660384.tif 000004
【図４】
0005660384.tif 000005
【図５】
0005660384.tif 000006
【図６】
0005660384.tif 000007
【図７】
0005660384.tif 000008